(57)【要約】  いくつかの実施形態により、第１のメディアコンテンツに関連する低解像度画像フレーム情報を格納するために低解像度バッファが提供されてもよい。また、同様に第１のメディアコンテンツに関連する高解像度画像フレーム情報を格納するために高解像度バッファが提供されてもよい。そして、再生装置が、（ｉ）高解像度画像フレーム情報が利用可能である場合、高解像度画像フレーム情報を受け取るか、又は（ｉｉ）高解像度画像フレーム情報が利用可能でない場合、低解像度画像フレーム情報を受け取ってもよい。【選択図】図４
2008523738.tif 000002
【特許請求の範囲】
【請求項１】
メディア情報ストリームの低品質メディア部分を受け取ることであって、該低品質メディア部分は第１のメディアコンテンツに関連する、受け取ること、及び
前記メディア情報ストリームの高品質メディア部分を受け取ることであって、該高品質部分は、（ｉ）前記第１のメディアコンテンツに関連し、且つ（ｉｉ）前記低品質部分の後に受け取られる、受け取ること
を含む、方法。
【請求項２】
前記低品質メディア部分を第２のバッファに格納すること、
前記高品質メディア部分を第１のバッファに格納すること、及び
前記高品質メディア部分が前記第１のバッファから提供されるように手配すること
をさらに含む、請求項１に記載の方法。
【請求項３】
第２のメディアコンテンツに関連する特定の高品質部分が前記第１のバッファにおいて利用可能でないと判断すること、及び
前記第２のメディアコンテンツに関連する低品質部分が前記第２のバッファから提供されるように手配すること
をさらに含む、請求項２に記載の方法。
【請求項４】
前記高品質部分は第１の解像度を有する画像情報であり、前記低品質部分は第２の解像度を有する画像情報であり、該第２の解像度は前記第１の解像度より低い、請求項３に記載の方法。
【請求項５】
低解像度画像フレーム情報を格納する低解像度バッファであって、該低解像度画像フレーム情報は第１のメディアコンテンツに関連する、低解像度バッファと、
前記第１のメディアコンテンツに関連する高解像度画像フレーム情報を格納する高解像度バッファと、
（ｉ）前記高解像度画像フレーム情報が利用可能である場合、該高解像度画像フレーム情報を受け取り、（ｉｉ）該高解像度画像フレーム情報が利用可能でない場合、前記低解像度画像フレーム情報を受け取る再生装置と
を具備する、装置。
【請求項６】
前記低解像度バッファ及び前記高解像度バッファのうちの少なくとも一方は、ソフトウェアバッファ又はハードウェアバッファのうちの少なくとも一方を含む、請求項５に記載の装置。
【請求項７】
前記低解像度バッファは、前記高解像度バッファが前記高解像度画像フレーム情報を格納する前に前記低解像度画像フレーム情報を格納する、請求項５に記載の装置。
【請求項８】
機械によって実行されると、
画像情報の低品質フレームを受け取ること、
前記低品質フレームに関連する有効な高品質フレームが利用可能でないと判断すること、及び
前記低品質フレームが前記高品質フレームの代りに再生装置に提供されるように手配すること
をもたらす命令が格納されている記憶媒体
を具備する、装置。
【請求項９】
前記再生装置は、（ｉ）デジタル表示装置、（ｉｉ）テレビ、（ｉｉｉ）パーソナルビデオレコーダ、（ｉｖ）ゲーム機、（ｖ）パーソナルコンピュータ、（ｖｉ）セットトップボックス又は（ｖｉｉ）家庭用デジタルメディアアダプタ機器のうちの少なくとも１つに関連する、請求項８に記載の装置。
【請求項１０】
前記受け取ることは、（ｉ）モーションピクチャエキスパートグループ（Motion Picture Expert Group）プロトコル、（ｉｉ）Ｗｉｎｄｏｗｓメディアフォーマット、（ｉｉｉ）ＱｕｉｃｋＴｉｍｅメディアフォーマット又は（ｉｉｉ）ＲｅａｌＮｅｔｗｏｒｋｓメディアフォーマットのうちの少なくとも１つに関連する、請求項８に記載の装置。
【請求項１１】
前記命令の実行は、
画像情報の第２の低品質フレームを受け取ること、
高品質フレームを受け取ることであって、該高品質フレームは前記情報の第２の低品質フレームの後に受け取られ且つ該情報の第２の低品質フレームに関連する、受け取ること、及び
前記高品質フレームが前記再生装置に提供されるように手配すること
をさらにもたらす、請求項８に記載の装置。
【請求項１２】
メディア情報ストリームの低品質メディア部分を送信することであって、該低品質メディア部分は第１のメディアコンテンツに関連する、送信すること、及び
前記低品質メディア部分が送信された後に、前記メディア情報ストリームの高品質メディア部分を送信することであって、該高品質部分もまた前記第１のメディアコンテンツに関連する、送信すること
を含む、方法。
【請求項１３】
前記低品質メディア部分は、画像情報の符号化された低解像度フレームを含み、前記高品質メディア部分は、画像情報の符号化された高解像度フレームを含む、請求項１２に記載の方法。
【請求項１４】
前記送信することは、（ｉ）ケーブルベースの通信ネットワーク、（ｉｉ）衛星通信ネットワーク、（ｉｉｉ）無線テレビ放送又は（ｉｖ）有線イーサネットネットワーク又は（ｖ）無線ネットワークのうちの少なくとも１つを介して実行される、請求項１２に記載の方法。
【請求項１５】
メディアコンテンツ記憶ユニットと、
メディアサーバであって、
メディア情報ストリームに含まれる高解像度画像フレームを生成する第１のユニットと、
前記メディア情報ストリームに対する低解像度画像フレームを生成する第２のユニットであって、該低解像度画像フレームは前記高解像度画像フレームと同じ画像を表す、第２のユニットと
を含むメディアサーバと、
前記メディア情報ストリームにおいて、まず前記低解像度画像フレームを送信し、その後前記高解像度画像フレームを送信する送信機と
を具備する、装置。
【請求項１６】
前記第１のユニット及び前記第２のユニットのうちの少なくとも一方は、（ｉ）モーションピクチャエキスパートグループプロトコル、（ｉｉ）Ｗｉｎｄｏｗｓメディアフォーマット、（ｉｉｉ）ＱｕｉｃｋＴｉｍｅメディアフォーマット又は（ｉｉｉ）ＲｅａｌＮｅｔｗｏｒｋｓメディアフォーマットのうちの少なくとも１つに従って動作する、請求項１５に記載の装置。
【請求項１７】
前記送信機は、（ｉ）ケーブルベースの通信ネットワーク、（ｉｉ）衛星通信ネットワーク、（ｉｉｉ）無線テレビ放送又は（ｉｖ）有線イーサネットネットワーク又は（ｖ）無線ネットワークのうちの少なくとも１つを介して情報を送信する、請求項１５に記載の装置。
【請求項１８】
機械によって実行されると、
通信ネットワークを介して提供されるメディアコンテンツを確定すること、
前記メディアコンテンツの画像に基づいて低品質画像信号を生成すること、
前記画像に基づいて高品質画像信号を生成すること、及び
前記高品質画像信号が前記低品質画像信号の後に送信されるように手配すること
をもたらす命令が格納されている記憶媒体
を具備する、装置。
【請求項１９】
前記低品質画像信号又は前記高品質画像信号のうちの少なくとも一方は、（ｉ）モーションピクチャエキスパートグループプロトコル、（ｉｉ）Ｗｉｎｄｏｗｓメディアフォーマット、（ｉｉｉ）ＱｕｉｃｋＴｉｍｅメディアフォーマット又は（ｉｉｉ）ＲｅａｌＮｅｔｗｏｒｋｓメディアフォーマットのうちの少なくとも１つに従って符号化される、請求項１８に記載の装置。
【請求項２０】
トランスポートストリームにおいて前記低品質画像信号及び前記高品質画像信号を多重化することをさらに含む、請求項１９に記載の装置。
【請求項２１】
システムであって、
低解像度画像情報を格納する低解像度記憶ユニットであって、該低解像度画像情報は或る像に関連する、低解像度記憶ユニットと、
前記像に関連する高解像度画像情報を格納する高解像度記憶ユニットと、
（ｉ）前記高解像度画像情報が利用可能である場合、該高解像度画像情報を受け取るか、又は（ｉｉ）該高解像度画像情報が利用可能でない場合、前記低解像度画像情報を受け取る、出力エンジンと、
ユーザによる該システムの操作を容易にするリモートインタフェースと
を具備する、システム。
【請求項２２】
前記低解像度記憶装置及び前記高解像度記憶装置のうちの少なくとも一方は、ランダムアクセスメモリユニット又はハードディスクドライブのうちの少なくと一方を含む、請求項２１に記載のシステム。
【請求項２３】
前記リモートインタフェースは、（ｉ）赤外線受信機又は（ｉｉ）無線通信ネットワークのうちの少なくとも一方に関連する、請求項２１に記載のシステム。
【発明の詳細な説明】
【背景技術】
【０００１】
メディアプレーヤは、メディアサーバから、「画像フレーム」を含む画像情報のストリームを受け取ることができる。たとえば、コンテンツプロバイダは、高精細度画像フレームを含むストリームを、ケーブル又は衛星ネットワークを介してテレビ、セットトップボックス又はデジタルビデオレコーダに送信する場合がある。場合によっては、メディアプレーヤは、１つ又は複数のこれらの画像フレームを受け取らない可能性がある（たとえば、フレームの１つ又は複数のビットが、ネットワークを伝わる際に破損したため）。この場合、メディアプレーヤは、適切な画像を表示することができない可能性がある。通常、メディアプレーヤは、次の有効な画像フレームが確定されるまで、最後の有効な画像フレームを表示し続ける。すなわち、有効な画像フレームがメディアプレーヤによって受け取られない場合、表示画像は「フリーズする」ように見える。別の手法として、メディアプレーヤは、次の有効な画像フレームが見つかるまでブランク（たとえば黒色）画面を表示する場合もある。いずれの手法によっても、結果は見る人を当惑させ、その人のメディア体験の質を劣化させる可能性がある。
【発明を実施するための最良の形態】
【０００２】
人は、コンテンツプロバイダから、テレビ番組等のメディアコンテンツを受け取る場合がある。たとえば、図１は、いくつかの実施形態によるメディアシステム１００のブロック図である。特に、メディアサーバ１１０は、メディア情報ストリームをメディアプレーヤ１２０に送信することができる。メディアプレーヤ１２０は、たとえばテレビ、パーソナルコンピュータ（ＰＣ）、ゲーム機、デジタルビデオレコーダ、セットトップボックス及び／又は家庭用デジタルメディアアダプタ機器を含むか又はそれに関連してもよい。メディア情報ストリームを、たとえばネットワーク１３０（たとえばケーブル又は衛星テレビネットワーク）を通じて送信してもよい。別の例として、家庭用イーサネットネットワークが、「Carrier Sense Multiple Access with Collision Detection (CSMA/CD) Access Method and Physical Layer Specifications」（２００２）と題する米国電気電子学会（Institute of Electrical and Electronics Engineers）（ＩＥＥＥ）標準規格８０２．３に従ってメディア情報を送信してもよい。さらに別の例として、家庭用無線ネットワークが、ＩＥＥＥ標準規格８０２．１１（ｇ）（２００３）に従ってメディア情報を送信してもよい。
【０００３】
本明細書で使用する「メディア情報ストリーム」という句を、オーディオ情報及びビデオ情報を提供する信号に関連付けてもよい。テレビは、たとえば、「Information Technology - Coding of Moving Pictures and Associated Audio for Digital Storage Media」（１９９３）と題する国際標準化機構（International Organization for Standardization）（ＩＳＯ）／国際電気標準会議（International Engineering Consortium）（ＩＥＣ）文書番号１１１７２−１によって定義されるようなモーションピクチャエキスパートグループ（ＭＰＥＧ）１プロトコルに関連するデジタルテレビ（ＤＴＶ）信号であってもよい。同様に、信号は、「Information Technology - Coding of Audio-Visual Objects」（２００１）と題するＩＳＯ／ＩＥＣ文書番号１４４９６−１によって定義されるようなＭＰＥＧ４プロトコルに従ってフォーマットされる高精細度テレビ（ＨＤＴＶ）信号であってもよい。さらに別の例として、信号を、「Information Technology - Generic Coding of Moving Pictures and Associated Audio Information」（２０００）と題するＩＳＯ／ＩＥＣ文書番号１３８１８−１によって定義されるようなＭＰＥＧ２プロトコルに従ってビデオカセットレコーダ（ＶＣＲ）又はデジタルビデオディスク（ＤＶＤ）プレーヤ等の記憶装置から受け取ってもよい。
【０００４】
「メディア情報ストリーム」という句もまた、たとえば、ＷＩＮＤＯＷＳ（登録商標）Ｍｅｄｉａ  Ｐｌａｙｅｒファイルフォーマット等の独自仕様のフォーマットに関連してもよい。ＷＩＮＤＯＷＳ（登録商標）Ｍｅｄｉａ  Ｐｌａｙｅｒファイルフォーマットの例には、Ｗｉｎｄｏｗｓ  Ｍｅｄｉａ  Ｖｉｄｅｏ（.wmv）、Ｗｉｎｄｏｗｓ  Ｍｅｄｉａ  Ａｕｄｉｏ（.wma）、Ａｄｖａｎｃｅｄ  Ｓｙｓｔｅｍｓ  Ｆｏｒｍａｔ（.asf）及びＤｉｇｉｔａｌ  Ｖｉｄｅｏ  Ｒｅｃｏｒｄｉｎｇ−Ｍｉｃｒｏｓｏｆｔ（.dvr-ms）がある。他のタイプのメディア情報ストリームには、ＡＰＰＬＥ  ＣＯＭＰＵＴＥＲ（登録商標）ＱｕｉｃｋＴｉｍｅコンテンツ（たとえば.mov又は.qt）、ＲＥＡＬＮＥＴＷＯＲＫＳコンテンツ（たとえば.ra、rm又は.ram）及びＡｕｄｉｏ  Ｖｉｓｕａｌ  Ｉｎｔｅｒｌｅａｖｅファイル（.avi）がある。
【０００５】
メディアプレーヤ１２０は、ランダムアクセスメモリ（ＲＡＭ）ユニット等のバッファ１２２に、ネットワーク１３０から受け取る情報を格納してもよい。そして、再生装置１２４が、必要に応じてバッファ１２２から情報を検索し、出力（たとえば表示画面に提供される）を生成してもよい。
【０００６】
図２は、メディアプレーヤバッファ２２２によって受け取られており且つそこから提供されている情報の表現２００である。特に、５つの高品質画像フレームのストリームが、バッファ２２２によって受け取られそこに格納される。さらに、それらのフレームは、要求に応じてバッファ２２２から（たとえばフレームを復号化しＨＤＴＶ装置のための出力を生成する再生装置に）提供される。
【０００７】
受け取られるフレームの間の時間は変化する可能性があり、場合によっては順番が狂ってフレームが受け取られる場合もあることに留意されたい。フレームをバッファ２２２に格納することにより、メディアプレーヤは、再生装置が必要とする時に適切なフレームが確実に利用可能であることを支援することができる。バッファ２２２のサイズは、ネットワークから受け取られているフレームと再生装置に提供されているフレームとの間の予測される最大のスキュー量に基づいてもよい。
【０００８】
しかしながら、場合によっては、メディアプレーヤによって１つ又は複数の高品質質画像フレームが受け取られない可能性もある。たとえば、高品質フレームは、ネットワークを伝わる際に喪失する可能性がある。図３は、画像フレームが喪失する場合にメディアプレーヤバッファ３２２によって受け取られており且つそれから提供されている情報の表現３００である。この場合、第２の高品質フレーム及び第３の高品質フレームは、メディアプレーヤによってまったく受け取られなかった。その結果、それらのフレームは、再生装置が必要とした時にバッファ３２２にはなかった。再生装置は、たとえば、第１のフレームを繰り返す（たとえば、像を「フリーズする」）か、又は見る人にブランク画面を提供する可能性がある。いずれの状況においても、これらの２つの画像フレームを喪失する影響により、メディア体験の質が低下する可能性がある。なお、第４の高品質フレームは、再生装置が必要とする時にバッファ３２２にあり、画像の通常の提示が再開したことに留意されたい。
【０００９】
図４は、いくつかの実施形態によるメディアシステム４００のブロック図である。上述したように、メディアサーバ４１０は、メディア情報ストリームをネットワーク４３０を介してメディアプレーヤ４２０に送信することができる。
【００１０】
メディアサーバ４１０は、たとえばケーブル又は衛星テレビサービスに関連してもよい。メディアサーバ４１０は、たとえばテレビ番組に関連する情報を格納することができるコンテンツ記憶ユニット４１２を含む。第１の高品質符号化器４１６が、コンテンツ記憶ユニット４１２の情報を使用して、コンテンツの符号化された高品質表現（たとえば高解像度画像フレーム）を生成してもよい。そして、送信機４１８が、これらの高品質フレームをネットワーク４３０を介してメディアプレーヤ４２０に送信することができる。
【００１１】
この実施形態によれば、メディアサーバ４１０は、コンテンツ記憶ユニット４１２の同じ情報を使用してコンテンツの符号化された低品質表現（たとえば低解像度画像フレーム）を生成する、第２の低品質符号化器４１４をさらに含む。送信機４１８はまた、これらの低品質フレームをネットワーク４３０を介してメディアプレーヤ４２０に送信する。なお、低品質フレームを、関連する高品質フレーム（たとえば、コンテンツ記憶ユニット４１２からの同じ画像を表す対応するフレーム）の前にメディアプレーヤ４２０に送信してもよいことに留意されたい。たとえば、送信機４１８は、関連する低品質フレームが挿入された数秒後に高品質フレームを含めることにより、２つのストリームを多重化してもよい。このため、メディアプレーヤ４２０に、コンテンツの冗長な、時間がずれた低品質バージョンを提供することができる。
【００１２】
図４には別々の高品質符号化器４１６及び低品質符号化器４１４を示すが、ともに単一のデバイスで提供してもよい（たとえば、単一の符号化器が、高解像度画像フレームと低解像度画像フレームとをともに生成してもよい）。別の手法として、コンテンツの高品質バージョンと低品質バージョンとをともに永久記憶媒体に格納してもよい。
【００１３】
図５は、いくつかの実施形態による方法を示すフローチャートである。本方法を、たとえばメディアサーバ４１０が実行してもよい。本明細書で説明するフローチャートは、必ずしも行為に対して一定の順序を示唆しておらず、実施形態を、実施可能な任意の順序で実行してもよい。なお、本明細書で説明する方法のうちの任意のものを、ハードウェア、ソフトウェア（マイクロコードを含む）、ファームウェア又はこれらの手法の任意の組合せによって実行してもよいことに留意されたい。たとえば、記憶媒体に、機械によって実行されると本明細書で説明する実施形態のうちの任意のものによる実行をもたらす命令を格納してもよい。
【００１４】
５０２において、第１のメディアコンテンツが確定される。メディアコンテンツは、たとえばテレビ番組の一部であってもよい。メディアコンテンツを、たとえば見る人の選択及び／又は番組視聴予定（programming schedule）に基づいて確定してもよい。そして、メディアコンテンツを使用して、低品質画像信号及び高品質画像信号（たとえば低品質ＭＰＥＧ画像フレーム及び高品質ＭＰＥＧ画像フレーム）の両方が生成される。
【００１５】
５０４において、第１のメディアコンテンツに関連する低品質メディア部分が送信される。たとえば、低品質ＭＰＥＰ画像フレームを、ネットワーク４３０を介してメディアプレーヤ４２０に送信することができる。
【００１６】
５０６において、同じメディアコンテンツに関連する高品質メディア部分が送信される。たとえば、高品質ＭＰＥＰ画像フレームを、関連する低品質フレームが送信された後に、ネットワーク４３０を介してメディアプレーヤ４２０に送信することができる。フレームを、たとえばエレメンタリーストリーム（ＥＳ）、パケット化されたＥＳ（ＰＥＳ）及び／又はトランスポートストリーム（ＴＳ）を介して送信してもよい。
【００１７】
再び図４を参照すると、メディアプレーヤ４３０は、（たとえばメディアサーバ４１０から）ネットワーク４３０を通じて受け取られる高品質フレームを格納する高解像度バッファ４２２を含む。そして、再生装置４２４は、格納された高品質フレームを使用して（たとえば最終的に表示画面に提供される）高品質出力を生成してもよい。
【００１８】
この実施形態によれば、メディアプレーヤ４３０はまた、ネットワーク４３０から受け取られる低品質フレームを格納する低解像度バッファ４２６も含む。高解像度バッファ４２２及び／又は低解像度バッファ４２６は、ハードウェアバッファ及び／又はソフトウェアバッファであってもよく、任意の適切なデバイス（たとえばＲＡＭユニット又はハードディスクドライブ）を使用して実装してもよい。
【００１９】
図６は、いくつかの実施形態による方法を示すフローチャートである。６０２において、メディア情報ストリームが受け取られる。メディア情報ストリームは、たとえば第１のメディアコンテンツに関連する低品質メディア部分と、同様に第１のメディアコンテンツに関連する高品質メディア部分とを含んでもよい。
【００２０】
６０４において、高品質画像情報が現在利用可能であるか否かが判断される。たとえば、再生装置４２４は、特定の画像フレームを要求してもよく、高解像度バッファ４２２にそのフレームの高解像度バージョンが現在格納されているか否かが判断されてもよい。
【００２１】
高品質フレームが利用可能であると判断されると、再生装置４２４は、６０６において高解像度バッファ４２２から高解像度情報を検索し、その後、その情報を使用して出力を生成することができる。
【００２２】
高品質フレームが利用可能でないと判断されると、再生装置４２４は、６０８において低解像度バッファ４６２から低解像度情報を検索し、その後その情報を使用して出力を生成することができる。このように、見る人は、従来のブランク表示又はフリーズした表示とは対照的にフレームのより低品質なバージョンを見ることになる。
【００２３】
図７は、いくつかの実施形態によるメディアプレーヤバッファによって受け取られており且つそこから提供されている情報の表現７００である。この場合、第２の高品質フレーム及び第３の高品質フレームは、メディアプレーヤによってまったく受け取られておらず、したがって、それらのフレームは、再生装置が必要とした時に第１の高解像度バッファ７２２にはなかった。この実施形態によれば、再生装置は代りに、第２の低解像度バッファ７２６からそれらのフレームのより低品質なバージョンを使用した。なお、第４の高品質フレームは、再生装置が必要とした時にバッファ７２２にあり、高解像度画像の通常の提示が再開したことが留意されたい。
【００２４】
高品質フレームも低品質フレームも利用可能でない場合、ブランク表示又はフリーズ表示が依然として発生する可能性がある。しかしながら、低品質フレームが、関連する高品質フレームに先立ってメディアサーバ４１０によって送信されるため、こうした発生の確率を低減することができる。すなわち、低ビットレートの画像情報の送信と高ビットレートの画像情報の送信との間の遅延を、ネットワークの混乱の最大予測長を許容するように設計してもよい。
【００２５】
図８は、別の実施形態によるメディアプレーヤバッファによって受け取られており且つそこから提供されている情報の表現８００である。この場合、低ビットレートの低品質フレームのバッチが、関連する高品質フレームが高解像度バッファ８２２に格納されるのに先立って低解像度バッファ８２６に格納される。上述したように、高品質情報が利用可能でない場合、低品質情報を使用してもよい。
【００２６】
図９は、いくつかの実施形態によるシステム９２０のブロック図である。システム９２０は、たとえば、セットトップボックス又はＨＤＴＶチューナであってもよい。システム９２０は、或る像に関連する低解像度画像情報を格納する低品質記憶ユニット９２６と、同じ像に関連する高解像度画像情報を格納する高品質記憶ユニット９２２とを含む。システム９２０はまた、（ｉ）高解像度画像情報が利用可能である場合又は利用可能である時、高解像度画像情報を受け取り、（ｉｉ）高解像度画像情報が利用可能でない場合又は利用可能でない時、低解像度画像情報を受け取る、出力エンジンを含んでもよい。
【００２７】
いくつかの実施形態によれば、システム９２０は、システム９２０の制御を容易にするリモートインタフェース９２８をさらに含む。リモートインタフェース９２８は、たとえば、ユーザに対し、赤外線（ＩＲ）受信機又は無線通信ネットワークを介して出力エンジン９２２を（たとえばテレビ番組を一時停止又は早送りするように）制御させてもよい。
【００２８】
以下は、さまざまなさらなる実施形態を示す。これらは、あり得るすべての実施形態の定義を成してはおらず、当業者は、他の多くの実施形態が可能であることを理解するであろう。さらに、以下の実施形態は、明確にするために簡単に説明されているが、当業者は、必要な場合、これらの実施形態及び他の実施形態並びにこれらの応用形態及び他の応用形態に対応するように上記説明に対して任意の変更をいかに行うかを理解するであろう。
【００２９】
たとえば、いくつかの実施形態を、別々の高品質バッファ及び低品質バッファに関して説明したが、単一のバッファが高解像度画像フレームと低解像度画像フレームとをともに格納してもよい（且つ、再生装置が、高品質フレームが利用可能でない場合に低品質フレームを検索するためにバッファポインタを移動させてもよい）。同様に、いくつかの説明では、高解像度情報及び低解像度情報が単一のネットワークを介して送信されるが、これらのストリームを異なるネットワークを介して送信してもよい。たとえば、高解像度情報を、衛星通信ネットワークを介して送信してもよく、低解像度情報は無線テレビ放送を介して送信される。別の実施形態では、高解像度情報を、（たとえばＩＥＥＥ標準規格８０２．１１（ａ）による）１つのタイプの無線ネットワークを通じて送信してもよく、低解像度情報は（たとえばＩＥＥＥ標準規格８０２．１１（ｂ）による）異なるタイプの無線ネットワークを通じて送信される。
【００３０】
なお、低解像度フレームと高解像度フレームとの間の遅延は、ネットワーク特性によって決まる可能性があるということに留意されたい。いくつかの実施形態によれば、低解像度フレームは１つのタイプのバッファ（たとえばハードドライブに格納されるバッファ）に格納され、高解像度フレームは別のタイプのバッファ（たとえばメモリバッファ）に格納される。
【００３１】
いくつかの実施形態をテレビ信号に関して説明したが、代りにステレオ又は衛星ラジオ装置において任意の実施形態を提供してもよい。
【００３２】
本明細書で説明したいくつかの実施形態は、単に例示の目的のためである。当業者は、この説明から、特許請求の範囲によってのみ限定される変更及び改変を含む他の実施形態を実施してもよい、ということを理解するであろう。
【図面の簡単な説明】
【００３３】
【図１】メディアシステムのブロック図である。
【図２】メディアプレーヤバッファによって受け取られており且つそこから提供されている情報の表現の図である。
【図３】画像フレームが喪失する場合にメディアプレーヤバッファによって受け取られており且つそこから提供されている情報の表現の図である。
【図４】いくつかの実施形態によるメディアシステムのブロック図である。
【図５】いくつかの実施形態によるメディアサーバ方法を示すフローチャートである。
【図６】いくつかの実施形態によるメディアプレーヤ方法を示すフローチャートである。
【図７】いくつかの実施形態によるメディアプレーヤバッファによって受け取られており且つそこから提供されている情報の表現の図である。
【図８】別の実施形態によるメディアプレーヤバッファによって受け取られており且つそこから提供されている情報の表現の図である。
【図９】いくつかの実施形態によるシステムのブロック図である。
【図１】
2008523738.tif 000003
【図２】
2008523738.tif 000004
【図３】
2008523738.tif 000005
【図４】
2008523738.tif 000006
【図５】
2008523738.tif 000007
【図６】
2008523738.tif 000008
【図７】
2008523738.tif 000009
【図８】
2008523738.tif 000010
【図９】
2008523738.tif 000011
【国際調査報告】
2008523738.tif 000012
2008523738.tif 000013
2008523738.tif 000014